【手続補正書】
【提出日】平成24年8月8日(2012.8.8)
【手続補正１】
【補正対象書類名】特許請求の範囲
【補正対象項目名】全文
【補正方法】変更
【補正の内容】
【特許請求の範囲】
【請求項１】
ビット又はシンボル・レベルでハード決定を行うことにより複合信号内の干渉シンボルについて干渉シンボル推定値を生成すること（１０２）と、
受信信号品質の関数として前記干渉シンボル推定値をソフト・スケーリングすることによりスケーリングした干渉シンボル推定値を計算すること（１０４）であって、前記ソフト・スケーリングすることが、低い受信信号品質では前記干渉シンボル推定値により多くの減衰を加え、高い受信信号品質では前記干渉シンボル推定値により少ない減衰を加えるように、前記干渉シンボル推定値をスケーリングするために、前記受信信号品質の変化につれて変動するソフト・スケーリング・ファクタを決定することを含むことと、
前記スケーリングした干渉シンボル推定値を前記複合信号と結合することにより低減干渉複合信号を入手すること（１０６）と、
前記低減干渉複合信号から関心のあるシンボルを検出すること（１０８）と、
を含む、無線通信受信機（１４，１６）における干渉相殺の方法（１００）。
【請求項２】
関心のある前記シンボルの結合及び等化処理後に平均シンボル品質を決定することに基づいて前記受信信号品質を決定することをさらに含む、請求項１記載の方法（１００）。
【請求項３】
復調後に関心のある前記シンボルについて平均対数尤度比規模を決定することに基づいて前記受信信号品質を決定することをさらに含む、請求項１記載の方法（１００）。
【請求項４】
前記受信信号品質の関数として事前計算したソフト・スケーリング・ファクタを選択することにより前記ソフト・スケーリング・ファクタを決定することをさらに含む、請求項１記載の方法（１００）。
【請求項５】
前記事前計算したソフト・スケーリング・ファクタを選択することが、受信信号品質の関数としてインデックスが付けられたルックアップ・テーブルにアクセスすることを含み、前記ルックアップ・テーブルが、受信信号品質の異なる値又は範囲に対応して、前記ソフト・スケーリング・ファクタ用の異なる値を含むデータ構造を含む、請求項４記載の方法（１００）。
【請求項６】
異なる変調及びコード化方式について異なるルックアップ・テーブルを保管することと、関心のある前記シンボルに関連する前記変調及びコード化方式に依存して前記異なるルックアップ・テーブルのうちの特定の１つにアクセスすることをさらに含む、請求項５記載の方法（１００）。
【請求項７】
前記受信信号品質の関数として、０と１との間の離散値又は連続値を取るスカラ値として前記ソフト・スケーリング・ファクタを定義することをさらに含む、請求項１記載の方法（１００）。
【請求項８】
前記受信信号品質が定義済み品質しきい値より上である場合に、前記ソフト・スケーリング・ファクタを単位元に設定することをさらに含む、請求項７記載の方法（１００）。
【請求項９】
少なくとも部分的に前記ソフト・スケーリング・ファクタに基づいて結合重みを決定することをさらに含み、前記結合重みが関心のある前記シンボルに関する信号値を結合する際に使用される、請求項１記載の方法（１００）。
【請求項１０】
前記受信複合信号が関心のある２つ又はそれ以上の信号を含み、２つ又はそれ以上の連続干渉相殺受信機段階のうちの対応する１つで関心のある少なくとも１つの信号について請求項１記載の方法を実行することをさらに含み、それぞれの後続干渉相殺受信機段階が関心のある前記２つ又はそれ以上の信号のうちの所与の１つを検出する、請求項１記載の方法（１００）。
【請求項１１】
前記受信複合信号が関心のある２つ又はそれ以上の信号を含み、２つ又はそれ以上の並列干渉相殺受信機段階のうちの対応する１つで関心のある少なくとも１つの信号について請求項１記載の方法を実行することをさらに含み、それぞれの並列干渉相殺受信機段階が関心のある前記２つ又はそれ以上の信号のうちの所与の１つを検出する、請求項１記載の方法（１００）。
【請求項１２】
信号対雑音比（ＳＮＲ）又は信号対雑音妨害比（ＳＩＮＲ）として前記受信信号品質を決定することをさらに含む、請求項１記載の方法（１００）。
【請求項１３】
ビット又はシンボル・レベルでハード決定を行うことが、前記干渉シンボルについてハード・シンボル決定を行うこと又は前記干渉シンボルを復調してソフト・ビット値を入手し、前記ソフト・ビット値についてハード決定を行うことのうちの１つを含む、請求項１記載の方法（１００）。
【請求項１４】
ビット又はシンボル・レベルでハード決定を行うことにより複合信号内の干渉シンボルについて干渉シンボル推定値を生成し、
受信信号品質の関数として前記干渉シンボル推定値をソフト・スケーリングすることによりスケーリングした干渉シンボル推定値を計算し、前記ソフト・スケーリングすることが、低い受信信号品質では前記干渉シンボル推定値により多くの減衰を加え、高い受信信号品質では前記干渉シンボル推定値により少ない減衰を加えるように、前記干渉シンボル推定値をスケーリングするために、前記受信信号品質の変化につれて変動するソフト・スケーリング・ファクタを決定することを含み、
前記スケーリングした干渉シンボル推定値を前記複合信号と結合することにより低減干渉複合信号を入手し、
前記低減干渉複合信号から関心のあるシンボルを検出する
ように構成される、１つ又は複数の処理回路（６２）を含む無線通信受信機（１４，１６）。
【請求項１５】
前記１つ又は複数の処理回路（６２）が、前記受信信号品質を決定するように構成される信号品質プロセッサ（７２）と、前記干渉シンボル推定値について行われたハード・シンボル又はビット決定に前記ソフト・スケーリング・ファクタを適用して、前記スケーリングした干渉シンボル推定値を入手するように構成されるスケーリング・プロセッサ（７４）とを含む、請求項１４記載の無線通信受信機（１４，１６）。
【請求項１６】
前記受信機が、関心のある前記シンボルの結合及び等化処理後に平均シンボル品質を決定することに基づいて前記受信信号品質を決定するように構成される、請求項１４記載の無線通信受信機（１４，１６）。
【請求項１７】
前記受信機が、復調後に関心のある前記シンボルについて平均対数尤度比を決定することに基づいて前記受信信号品質を決定するように構成される、請求項１４記載の無線通信受信機（１４，１６）。
【請求項１８】
前記受信機が、前記受信信号品質の関数として事前計算したソフト・スケーリング・ファクタを選択することと、前記事前計算したソフト・スケーリング・ファクタにより前記干渉シンボル推定値をスケーリングすることにより、前記ソフト・スケーリング・ファクタを決定するように構成される、請求項１４記載の無線通信受信機（１４，１６）。
【請求項１９】
前記受信機が、受信信号品質の関数としてインデックスが付けられたルックアップ・テーブルにアクセスするように構成され、前記受信機が、前記ルックアップ・テーブルを保管するメモリを含むか又はその他の方法で前記メモリ（７６）にアクセスすることができ、前記ルックアップ・テーブルが、受信信号品質の異なる値又は範囲に対応して、前記ソフト・スケーリング・ファクタ用の異なる値を含むデータ構造を含む、請求項１８記載の無線通信受信機（１４，１６）。
【請求項２０】
前記メモリ（７６）が異なる変調及びコード化方式について異なるルックアップ・テーブルを保管し、前記受信機が、関心のある前記シンボルに関連する前記変調及びコード化方式に依存して前記異なるルックアップ・テーブルのうちの特定の１つにアクセスするように構成される、請求項１９記載の無線通信受信機（１４，１６）。
【請求項２１】
前記受信機が、前記ソフト・スケーリング・ファクタとしてスカラ値を使用するように構成され、前記スカラ値が、前記受信信号品質の関数として、０と１との間の離散値又は連続値を取る、請求項１４記載の無線通信受信機（１４，１６）。
【請求項２２】
前記受信機が、少なくとも部分的に前記ソフト・スケーリング・ファクタに基づいて結合重みを決定し、前記結合重みを使用して関心のある前記シンボルに関する信号値を結合するように構成される、請求項１４記載の無線通信受信機（１４，１６）。
【請求項２３】
前記受信機が２つ又はそれ以上の連続干渉相殺段階を含む連続干渉相殺受信機を含み、前記段階のうちの少なくとも１つが前記段階に入力された複合信号に含まれる干渉シンボルについて行われたハード決定のソフト・スケーリングを介して干渉相殺を実行するように構成されるか、或いは、前記受信機が２つ又はそれ以上の並列干渉相殺段階を含む並列干渉相殺受信機を含み、前記段階のうちの少なくとも１つが前記段階に入力された複合信号に含まれる干渉シンボルについて行われたハード決定のソフト・スケーリングを介して干渉相殺を実行するように構成される、請求項１４記載の無線通信受信機（１４，１６）。